(57)【要約】【課題】電圧のゼロクロスが生成されない場合であっても、適切にヒーターの加熱温度を制御する。【解決手段】画像形成装置は、センターヒーターおよびサイドヒーターの加熱を実行している場合において、サイドヒーターの加熱を停止する場合には、まず電力Ｄｕｔｙ比を０％にして（タイミングＴ１１）、その後、トライアック信号をオフにする制御を実行し（タイミングＴ１２）、その後、電力Ｄｕｔｙ比を６０％にする制御を実行する（タイミングＴ１３）。【選択図】図８
2020027164.tif 000002
【特許請求の範囲】
【請求項１】
第１ヒーターと、
第２ヒーターと、
前記第１ヒーターと前記第２ヒーターとに供給する電力の制御を実行する制御部と、
前記第２ヒーターに電力を供給するオン状態と前記第２ヒーターに電力を供給しないオフ状態とのいずれかの状態に切替わるスイッチとを備え、
前記制御部は、前記第１ヒーターと前記第２ヒーターとに供給する電力を、前記スイッチが前記オン状態から前記オフ状態に切替可能な所定電力まで低下させ、前記スイッチを前記オン状態から前記オフ状態に切替える、画像形成装置。
【請求項２】
前記制御部は、前記第１ヒーターと前記第２ヒーターとに供給する電力を前記所定電力まで低下させた後に、前記スイッチを前記オン状態から前記オフ状態に切替える、請求項１に記載の画像形成装置。
【請求項３】
前記制御部は、前記第１ヒーターと前記第２ヒーターとに供給する電力を前記所定電力まで低下させた直後に、前記スイッチを前記オン状態から前記オフ状態に切替える、請求項２に記載の画像形成装置。
【請求項４】
前記制御部は、前記スイッチを前記オン状態から前記オフ状態に切替えた後に、前記第１ヒーターと前記第２ヒーターとに供給する電力を前記所定電力まで低下させる、請求項１に記載の画像形成装置。
【請求項５】
前記制御部は、前記スイッチを前記オン状態から前記オフ状態に切替えた直後に、前記第１ヒーターと前記第２ヒーターとに供給する電力を前記所定電力まで低下させる、請求項４に記載の画像形成装置。
【請求項６】
前記画像形成装置への入力電圧の力率を向上させるフィルターをさらに備え、
前記第１ヒーターと前記第２ヒーターとに供給する電力が前記所定電力まで低下されることにより、前記フィルターから前記スイッチに流入する電流値が前記スイッチが前記オン状態から前記オフ状態に切替可能な電流値となる、請求項１〜請求項５いずれか１項に記載の画像形成装置。
【請求項７】
前記制御部は、
電源からの電力の制御を実行し、
前記電源の電圧がゼロクロスしたときに、前記第１ヒーターと前記第２ヒーターとに供給する電力を、前記所定電力まで低下させる、請求項１〜請求項６いずれか１項に記載の画像形成装置。
【請求項８】
前記制御部は、
電源からの電力の制御を実行し、
前記電源の電圧値に関わらず、前記第１ヒーターと前記第２ヒーターとに供給する電力を、前記所定電力まで低下させる、請求項１〜請求項６いずれか１項に記載の画像形成装置。
【請求項９】
前記制御部は、前記スイッチを前記オン状態から前記オフ状態に切替えるための信号制御を実行し、
前記画像形成装置は、１の前記信号制御の実行により、前記第１ヒーターと前記第２ヒーターとに供給する電力を前記所定電力まで低下させ、前記スイッチを前記オン状態から前記オフ状態に切替える回路をさらに備える、請求項１〜請求項８いずれか１項に記載の画像形成装置。
【請求項１０】
前記回路は、マルチバイブレーターと、オン信号出力回路と、アンド回路と、スイッチング素子とを含み、
前記制御部は、
前記信号制御として、前記マルチバイブレーターと前記オン信号出力回路とに同一の制御信号を出力する制御信号出力部と、
前記第１ヒーターと前記第２ヒーターとに電力を供給するための供給信号を前記アンド回路に出力する供給信号出力部とを含み、
前記マルチバイブレーターは、マルチバイブレーター信号の出力を、前記制御信号を受信したときに停止し、
前記オン信号出力回路は、前記スイッチを前記オン状態とするオン信号の出力を、前記制御信号を受信したときに停止し、
前記アンド回路は、
前記マルチバイブレーター信号と前記供給信号との双方を受信しているときに前記供給信号を前記スイッチング素子に出力し、
前記マルチバイブレーター信号と前記供給信号との双方を受信していないときに前記供給信号を前記スイッチング素子に出力せず、
前記スイッチング素子は、前記供給信号を受信していないときに、前記第１ヒーターと前記第２ヒーターとに供給する電力を、前記所定電力まで低下させる、請求項９に記載の画像形成装置。
【請求項１１】
前記制御部は、
前記第１ヒーターの目標温度を設定する設定部をさらに含み、
前記第１ヒーターと前記第２ヒーターとに供給する電力を前記所定電力まで低下させる前に、設定された目標温度よりも高い目標温度を設定する、請求項１〜請求項１０いずれか１項に記載の画像形成装置。
【請求項１２】
前記第１ヒーターと前記第２ヒーターとに供給する電力を、前記所定電力まで下げる制御を実行すると共に、前記スイッチを前記オン状態から前記オフ状態に切替えるための信号の制御を実行した後に、前記第２ヒーターに流れる電流値を取得する取得部と、
前記第２ヒーターに流れる電流値が、０であるか否かを判断する判断部と、
前記第２ヒーターに流れる電流値が、０ではないと判断された回数が所定回数に到達した場合には、前記画像形成装置の駆動を停止させる停止部とを備える、請求項１〜請求項１１いずれか１項に記載の画像形成装置。
【請求項１３】
前記制御部は一のマイコンで構成されており、
前記一のマイコンが、前記第１ヒーターと前記第２ヒーターとに供給する電力を前記所定電力まで低下させる処理と、前記スイッチを前記オン状態から前記オフ状態に切替える処理とを実行する、請求項１〜請求項１２いずれか１項に記載の画像形成装置。
【請求項１４】
前記スイッチはトライアックである、請求項１〜請求項１３いずれか１項に記載の画像形成装置。
【発明の詳細な説明】
【技術分野】
【０００１】
本開示は、画像形成装置に関する。
【背景技術】
【０００２】
従来、画像を用紙に定着させるための定着装置を備える画像形成装置が提案されている。特許文献１記載の定着装置では、交流電源が用いられる。特許文献１の定着装置は、交流電圧のゼロクロスを検出し、該検出されたゼロクロスを示すゼロクロス信号に基づいて、ヒーターの加熱温度を制御する。また、交流電源が劣悪な場合などには、ゼロクロスの検出が失敗する場合がある。このような場合であっても、特許文献１の定着装置は、画像形成処理を停止させずに、ヒーターの加熱温度を制御する。
【先行技術文献】
【特許文献】
【０００３】
【特許文献１】特開２００７−１３９９０７号公報
【発明の概要】
【発明が解決しようとする課題】
【０００４】
しかしながら、画像形成装置の回路構成によっては、電圧のゼロクロスが生成されない場合がある。このような場合には、特許文献１記載の発明では、ヒーターの加熱温度を適切に制御できなかった。
【０００５】
本開示では、係る実情に鑑み考え出されたものであって、ある局面において、電圧のゼロクロスが生成されない場合であっても、適切にヒーターの加熱温度を制御する画像形成装置が開示される。
【課題を解決するための手段】
【０００６】
この開示にかかる画像形成装置は、第１ヒーターと、第２ヒーターと、第１ヒーターと第２ヒーターとに供給する電力の制御を実行する制御部と、第２ヒーターに電力を供給するオン状態と第２ヒーターに電力を供給しないオフ状態とのいずれかの状態に切替わるスイッチとを備え、制御部は、第１ヒーターと第２ヒーターとに供給する電力を、スイッチがオン状態からオフ状態に切替可能な所定電力まで低下させ、スイッチをオン状態からオフ状態に切替える。
【０００７】
ある局面において、制御部は、第１ヒーターと第２ヒーターとに供給する電力を所定電力まで低下させた後に、スイッチをオン状態からオフ状態に切替える。
【０００８】
ある局面において、制御部は、第１ヒーターと第２ヒーターとに供給する電力を所定電力まで低下させた直後に、スイッチをオン状態からオフ状態に切替える。
【０００９】
ある局面において、制御部は、スイッチをオン状態からオフ状態に切替えた後に、第１ヒーターと第２ヒーターとに供給する電力を所定電力まで低下させる。
【００１０】
ある局面において、制御部は、スイッチをオン状態からオフ状態に切替えた直後に、第１ヒーターと第２ヒーターとに供給する電力を所定電力まで低下させる。
【００１１】
ある局面において、画像形成装置への入力電圧の力率を向上させるフィルターをさらに備え、第１ヒーターと第２ヒーターとに供給する電力が所定電力まで低下されることにより、フィルターからスイッチに流入する電流値がスイッチがオン状態からオフ状態に切替可能な電流値となる。
【００１２】
ある局面において、制御部は、電源からの電力の制御を実行し、電源の電圧がゼロクロスしたときに、第１ヒーターと第２ヒーターとに供給する電力を、所定電力まで低下させる。
【００１３】
ある局面において、制御部は、電源からの電力の制御を実行し、電源の電圧値に関わらず、第１ヒーターと第２ヒーターとに供給する電力を、所定電力まで低下させる。
【００１４】
ある局面において、制御部は、スイッチをオン状態からオフ状態に切替えるための信号制御を実行し、画像形成装置は、１の信号制御の実行により、第１ヒーターと第２ヒーターとに供給する電力を所定電力まで低下させ、スイッチをオン状態からオフ状態に切替える回路をさらに備える。
【００１５】
ある局面において、回路は、マルチバイブレーターと、オン信号出力回路と、アンド回路と、スイッチング素子とを含み、制御部は、信号制御として、マルチバイブレーターとオン信号出力回路とに同一の制御信号を出力する制御信号出力部と、第１ヒーターと第２ヒーターとに電力を供給するための供給信号をアンド回路に出力する供給信号出力部とを含み、マルチバイブレーターは、マルチバイブレーター信号の出力を、制御信号を受信したときに停止し、オン信号出力回路は、スイッチをオン状態とするオン信号の出力を、制御信号を受信したときに停止し、アンド回路は、マルチバイブレーター信号と供給信号との双方を受信しているときに供給信号をスイッチング素子に出力し、マルチバイブレーター信号と供給信号との双方を受信していないときに供給信号をスイッチング素子に出力せず、スイッチング素子は、供給信号を受信していないときに、第１ヒーターと第２ヒーターとに供給する電力を、所定電力まで低下させる。
【００１６】
ある局面において、制御部は、第１ヒーターの目標温度を設定する設定部をさらに含み、第１ヒーターと第２ヒーターとに供給する電力を所定電力まで低下させる前に、設定された目標温度よりも高い目標温度を設定する。
【００１７】
ある局面において、第１ヒーターと第２ヒーターとに供給する電力を、所定電力まで下げる制御を実行すると共に、スイッチをオン状態からオフ状態に切替えるための信号の制御を実行した後に、第２ヒーターに流れる電流値を取得する取得部と、第２ヒーターに流れる電流値が、０であるか否かを判断する判断部と、第２ヒーターに流れる電流値が、０ではないと判断された回数が所定回数に到達した場合には、画像形成装置の駆動を停止させる停止部とを備える。
【００１８】
ある局面において、制御部は一のマイコンで構成されており、一のマイコンが、第１ヒーターと第２ヒーターとに供給する電力を所定電力まで低下させる処理と、スイッチをオン状態からオフ状態に切替える処理とを実行する。
【００１９】
ある局面において、スイッチはトライアックである。
【発明の効果】
【００２０】
本開示によれば、電圧のゼロクロスが生成されない場合であっても、適切にヒーターの加熱温度を制御する画像形成装置を提供することができる。
【図面の簡単な説明】
【００２１】
【図１】本実施形態の画像形成装置の内部構成を示す図である。
【図２】本実施形態の画像形成装置のハードウェア構成を示した図である。
【図３】加熱ローラーの一例を示す図である。
【図４】本実施形態の制御装置などの構成例を示した図である。
【図５】センターヒーターなどでの電流の動きなどを示す図である。
【図６】センターヒーターへの入力電流の波形の一例を示す図である。
【図７】比較例のセンターヒーターなどの電圧などを示す図である。
【図８】本実施形態のセンターヒーターなどの電圧などを示す図である。
【図９】加熱するヒーターと、目標温度との対応を示した図である。
【図１０】制御装置のフローチャートである。
【図１１】別の実施形態のセンターヒーターなどの電圧などを示す図である。
【図１２】別の実施形態の制御装置などの構成例を示した図である。
【図１３】別の実施形態のセンターヒーターなどの電圧などを示す図である。
【図１４】別の実施形態のセンターヒーターなどの電圧などを示す図である。
【図１５】別の実施形態の制御装置の機能構成例を示す図である。
【図１６】別の実施形態の制御装置のフローチャートである。
【発明を実施するための形態】
【００２２】
本発明に基づいた実施の形態における画像形成装置について、以下、図を参照しながら説明する。同一の部品、相当部品に対しては、同一の参照番号を付し、重複する説明は繰り返さない場合がある。また、各実施の形態における構成を適宜組み合わせて用いることは当初から予定されていることである。
【００２３】
［第１実施形態］
図１を参照して、本実施の形態における画像形成装置１００の概略構成について説明する。図１は、画像形成装置１００の内部構成を示す図である。
【００２４】
図１には、カラープリンターとしての画像形成装置１００が示されている。以下では、カラープリンターとしての画像形成装置１００について説明するが、画像形成装置１００は、カラープリンターに限定されない。例えば、画像形成装置１００は、モノクロプリンターであってもよいし、モノクロプリンター、カラープリンターおよびＦＡＸの複合機（ＭＦＰ：Multi-Functional  Peripheral）であってもよい。
【００２５】
画像形成装置１００は、形成部としての画像形成ユニット１Ａ〜１Ｄと、中間転写ベルト１１（中間転写体）と、一次転写ローラー１２（転写部）と、二次転写ローラー１３と、クリーニング部１５と、排紙トレイ１６と、カセット１７と、制御装置１８（制御部）と、露光制御部１９と、定着部としての定着器３０と、排紙ローラー３６と、反転搬送経路３８などを含む。制御装置１８はマイコンで構成されている。
【００２６】
制御装置１８は、画像形成装置１００の画像形成プロセスを制御する。制御装置１８は、画像形成ユニット１Ａ〜１Ｄ、二次転写ローラー１３、定着器３０（加熱ヒーター３３の温度制御、加圧ローラー３１の回転速度等）、露光制御部１９等を制御する。
【００２７】
画像形成ユニット１Ａは、イエロー（Ｙ）のトナー画像を形成する。画像形成ユニット１Ｂは、マゼンタ（Ｍ）のトナー画像を形成する。画像形成ユニット１Ｃは、シアン（Ｃ）のトナー画像を形成する。画像形成ユニット１Ｄは、ブラック（ＢＫ）のトナー画像を形成する。
【００２８】
中間転写ベルト１１は、無端状のベルトであり、複数の支持ローラーのうち少なくとも一つの駆動ローラーが回転することにより、矢印２１の方向に周回駆動する。画像形成ユニット１Ａ〜１Ｄは、それぞれ、中間転写ベルト１１の駆動方向に沿って順に配置されている。
【００２９】
画像形成ユニット１Ａ〜１Ｄは、それぞれ、感光体２と、帯電部３と、現像部４と、感光体クリーニング部５と、露光部９と、除電部８０などを備える。感光体２は、トナー画像を担持する像担持体である。一例として、感光体２には、その表面に感光層が形成された感光体ドラムが用いられる。感光体２は、中間転写ベルト１１の駆動方向に対応する方向に回転する。
【００３０】
帯電部３は、感光体２の表面を一様に、所定の極性で帯電する。帯電部３は、例えば、導電性ゴムローラであり、感光体２に接触配置される。感光体２の回転駆動に従って、帯電部３は回転する。
【００３１】
露光部９は、露光制御部１９からの制御信号に応じて感光体２にレーザー光を照射し、指定された画像パターンに従って感光体２の表面を露光する。
【００３２】
現像部４は、感光体２上に形成された静電潜像をトナー画像として現像する。一例として、現像部４は、トナーおよびキャリアからなる二成分系の現像剤を用いて静電潜像を現像する。キャリアは、例えば、鉄粉である。トナーは各色（Ｙ、Ｍ、Ｃ、ＢＫ）がある。
【００３３】
感光体２において、露光されることにより表面電位が低下した低下部分にはトナーが供給される一方、該低下部分以外の部分（表面電位が低下していない部分）には、トナーが供給されない。これにより、感光体２上に各色のトナー像が形成される。
【００３４】
一次転写ローラー１２は、中間転写ベルト１１を感光体２の方向に押圧することにより、該感光体２上に形成されたトナー像を、中間転写ベルト１１に転写する。
【００３５】
カセット１７は、画像形成装置１００の下部に設けられている。カセット１７には、紙等の用紙１４（媒体）がセットされる。用紙１４は、カセット１７から１枚ずつ二次転写ローラー１３に送られる。制御装置１８が、用紙１４の送り出しおよび搬送のタイミングと、中間転写ベルト１１上のトナー画像（各色が重畳されたトナー画像）の位置とを同期させることで、用紙１４の適切な位置にトナー画像を転写させる。その後、制御装置１８は、用紙１４を定着器３０に送る。
【００３６】
定着器３０は、用紙１４に転写されているトナー画像（未定着のトナー画像）を熱で溶融し、用紙１４にトナー画像を定着させる。定着器３０は、加熱装置としてのセンターヒーター１０１（「第１ヒーター」ともいう。）、およびサイドヒーター１０２（「第２ヒーター」ともいう。）を含む加熱ローラー３２と、加圧ローラー３１とを含む。定着器３０は、表面上に未定着画像が形成された用紙１４を、加熱ローラー３２と、加圧ローラー３１とで挟み込む。
【００３７】
画像形成装置１００は、操作部５０からユーザーの入力を受付けることができる。該ジョブは、例えば、片面印刷ジョブ（片面印刷させるジョブ）、両面印刷ジョブ（両面印刷させるジョブ）、スキャンジョブ（スキャンさせるジョブ）などを含む。
【００３８】
ユーザーにより、片面印刷ジョブが入力された場合には、制御装置１８は、定着器３０による定着処理の後に、用紙１４を排紙ローラー３６により、排紙トレイ１６に排紙させる。ユーザーにより、両面印刷ジョブが入力された場合には、制御装置１８は、定着器３０による定着処理の後に、用紙１４を排紙ローラー３６の逆回転により、反転搬送経路３８に送る。その後、制御装置１８は、用紙の裏面（２面目）にトナー画像を転写するように、該用紙を、二次転写ローラー１３に送る。該二次転写ローラー１３は、用紙１４の裏面の適切な位置にトナー画像を転写する。その後、定着器３０に再び送られて、定着器３０は、該用紙の裏面にトナー画像を定着させる。このように、ユーザーにより両面印刷ジョブが入力されると、画像形成装置１００は、用紙の両面に画像を印刷する。
【００３９】
定着器３０の下流には、冷却器５５が設けられている。冷却器５５は、冷却ローラー５２（冷却部）と、対向ローラー５１（対向部）とを含む。冷却器５５は、制御装置１８により制御される。対向ローラー５１は、冷却ローラー５２と対向し、かつ対向ローラー５１と冷却ローラー５２とで用紙を矜持する。
【００４０】
このように、かつ対向ローラー５１と冷却ローラー５２とで用紙を矜持して、該用紙を冷却することから、安定して該用紙を冷却することができる。
【００４１】
［ハードウェア構成］
図２は、画像形成装置１００のハードウェア構成を示した図である。図２を参照して、画像形成装置１００は、プログラムを実行するＣＰＵ９１（Central Processing Unit）と、データを不揮発的に格納するＲＯＭ９２（Read Only Memory）と、データを揮発的に格納するＲＡＭ９３（Random Access Memory）と、フラッシュメモリー９４と、タッチスクリーン９５と、スピーカー９６と、通信ＩＦ９８とを備える。
【００４２】
タッチスクリーン９５は、表示装置としてのディスプレイ９５１と、入力装置としてのタッチパネル９５２とにより構成される。具体的には、タッチスクリーン９５は、ディスプレイ９５１（例えば液晶ディスプレイ）上にタッチパネル９５２を位置決めした上で固定することにより構成される。タッチスクリーン９５は、タッチ位置の検出方法として、例えば抵抗膜方式または静電容量方式を用いることができる。ユーザーによるタッチスクリーン９５への操作によりジョブが入力される。
【００４３】
フラッシュメモリー９４は、不揮発性の半導体メモリである。フラッシュメモリー９４は、ＣＰＵ９１が実行するオペレーティングシステムおよび各種のプログラム、各種のコンテンツおよびデータを格納している。また、フラッシュメモリー９４は、画像形成装置１００が生成したデータ、画像形成装置１００の外部装置から取得したデータ等の各種データを揮発的に格納する。
【００４４】
スピーカー９６は、ＣＰＵ９１からの指令に応じて音を発生させる。ＣＰＵ９１は、タッチパネル９５２からの出力に基づいて入力位置を特定し、当該特定した入力位置に基づいた画面表示を行なう。
【００４５】
通信ＩＦ９８は、他の外部機器（例えば、ＰＣ）とネットワークを通じて接続されている。該他の外部機器からユーザーによりジョブが入力されたときには、画像形成装置１００は、通信ＩＦ９８を経由して該ジョブを取得する。
【００４６】
［加熱ローラー３２の構成］
図３は、加熱ローラー３２を示す図である。加熱ローラー３２は、筒状である。加熱ローラー３２は、加熱ローラー３２の内部の中央部に、センターヒーター１０１を含む。加熱ローラー３２は、加熱ローラー３２の内部の両端部に、それぞれ、サイドヒーター１０２ａおよびサイドヒーター１０２ｂを含む。サイドヒーター１０２ａおよびサイドヒーター１０２ｂをまとめて、サイドヒーター１０２ともいう。センターヒーター１０１、およびサイドヒーター１０２は、それぞれ、例えば、ハロゲンヒーターである。
【００４７】
用紙とセンターヒーター１０１、サイドヒーター１０２との対応関係について説明する。ここで、通紙される用紙の幅方向の長さは、センターヒーター１０１、サイドヒーター１０２両方に覆われるものとする。センターヒーター１０１は、加熱ローラー３２の軸方向（図３の長手方向）における用紙の中央部を加熱する。サイドヒーター１０２ａおよびサイドヒーター１０２ｂは、加熱ローラー３２の軸方向における用紙の端部を加熱する。サイドヒーター１０２ａおよびサイドヒーター１０２ｂは、電気的に直列に接続されて、一つのサイドヒーター１０２を構成している。また後述するが、通紙される用紙の端部が、サイドヒーター１０２にかからない場合、サイドヒーター１０２は加熱されない。
【００４８】
センターヒーター１０１、およびサイドヒーター１０２は、駆動回路１５０（図４参照）から供給される駆動電流（駆動電圧）により加熱する。加熱ローラー３２の中央部に対向する位置に、センター温度センサー１３４が配置される。加熱ローラー３２の両側の端部に対向する位置に、サイド温度センサー１４４ａ、およびサイド温度センサー１４４ｂが配置される。サイド温度センサー１４４ａ、およびサイド温度センサー１４４ｂをまとめて、サイド温度センサー１４４ともいう。センター温度センサー１３４、およびサイド温度センサー１４４は、それぞれ、加熱ローラー３２の中央部及び両側の端部の温度を検出する。センター温度センサー１３４、およびサイド温度センサー１４４は、それぞれ、検出した温度を制御装置１８（図４参照）に対して出力する。
【００４９】
［駆動回路１５０などの構成例］
図４は、駆動回路１５０、および制御装置１８などの構成例を示した図である。画像形成装置１００は、駆動回路１５０、および制御装置１８の他に、センターヒーター１０１、およびサイドヒーター１０２を含む。
【００５０】
駆動回路１５０は、整流回路１１１、ノイズフィルター１１２、チョッパー回路１１３、およびトライアック１７０（スイッチ）を含む。駆動回路１５０は、外部の回路等に接続するための端子１６１、端子１６２、端子１６３、端子１６４、端子１６５、端子１６６、端子１６７、および端子１６８を含む。
【００５１】
駆動回路１５０は、端子１６１および端子１６２を介して、ＡＣ電源１６０に接続されている。駆動回路１５０は、端子１６３および端子１６４を介して、センターヒーター１０１に接続されている。駆動回路１５０は、端子１６５および端子１６６を介して、サイドヒーター１０２に接続されている。駆動回路１５０は、端子１６７および端子１６８を介して、制御装置１８に接続されている。
【００５２】
整流回路１１１は、入力側において、端子１６１および端子１６２を介して、ＡＣ電源１６０に接続され、出力側において、節点１７１および節点１７３を介して、ノイズフィルター１１２に接続されている。
【００５３】
このように、本実施形態の画像形成装置１００は、ＡＣ電源１６０（交流電源）からの交流電力を整流回路１１１により直流化して、スイッチング素子１３１を用いて、ヒーター（センターヒーター１０１およびサイドヒーター１０２）を駆動する方式を採用している。この本実施形態の方式は、「整流前の交流電源をヒーターに入力してオンオフする方式」と比べ制御精度が高い。また、この本実施形態の方式は、交流位相制御方式と比較して、力率および電力精度が高く、騒音も発生しないというメリットがある。
【００５４】
整流回路１１１は、ＡＣ電源１６０から供給される単相交流を全波整流し、全波整流された電流をノイズフィルター１１２に対して供給する。典型的には、整流回路１１１は、４個の整流素子１１１ａ、整流素子１１１ｂ、整流素子１１１ｃ、および整流素子１１１ｄを組み合わせて構成されるブリッジ型の整流回路である。
【００５５】
整流素子１１１ａのカソードおよび整流素子１１１ｃのアノードは、端子１６１に接続されている。整流素子１１１ｂのカソードおよび整流素子１１１ｄのアノードは、端子１６２に接続されている。整流素子１１１ａのアノードおよび整流素子１１１ｂのアノードは、節点１７３に接続されている。整流素子１１１ｃのカソードおよび整流素子１１１ｄのカソードは、節点１７１に接続されている。
【００５６】
ノイズフィルター１１２は、入力側において、節点１７１、および節点１７３を介して、整流回路１１１に接続されている。ノイズフィルター１１２は、出力側において、節点１７２、および節点１７３を介して、チョッパー回路１１３に接続されている。
【００５７】
ノイズフィルター１１２は、画像形成装置１００において発生するノイズをＡＣ電源１６０側に伝搬しないように、ノイズを低減する。典型的には、ノイズフィルター１１２は、π型フィルターであって、コイル１２２、コンデンサー１２１、およびコンデンサー１２３を含む。また、ノイズフィルター１１２は、駆動回路１５０に入力された入力電圧（画像形成装置１００への入力電圧）の力率を改善するフィルターでもある。
【００５８】
コイル１２２の第１端およびコンデンサー１２１の第１端は、節点１７１に接続されている。コイル１２２の第２端およびコンデンサー１２３の第１端は、節点１７２に接続されている。また、コンデンサー１２１の第２端およびコンデンサー１２３の第２端は、節点１７３に接続されている。
【００５９】
チョッパー回路１１３は、入力側において、節点１７２、および節点１７３を介して、ノイズフィルター１１２に接続されている。チョッパー回路１１３は、出力側において、端子１６３、および端子１６４を介して、センターヒーター１０１に接続されている。チョッパー回路１１３は、出力側において、端子１６５、および端子１６６を介して、サイドヒーター１０２に接続されている。チョッパー回路１１３は、例えば、降圧チョッパー回路であって、リアクトル１３３（コイル）、還流素子１３２およびスイッチング素子１３１から構成されている。
【００６０】
還流素子１３２は、例えばダイオードである。スイッチング素子１３１は、例えば、ＩＧＢＴ（Insulated Gate Bipolar Transistor）やＭＯＳ−ＦＥＴ（Metal-Oxide-Semiconductor Field-Effect Transistor）である。
【００６１】
リアクトル１３３の第１端および還流素子１３２のカソードは、節点１７２に接続されている。また、リアクトル１３３の第２端は、端子１６３に接続されている。還流素子１３２のアノードは、節点１７４（端子１６４）に接続されている。スイッチング素子１３１のコレクターは、節点１７４に接続され、エミッタは、節点１７３に接続され、ゲートは、端子１６７に接続されている。
【００６２】
トライアック１７０は、サイドヒーター１０２に電力を供給するオン状態（閉状態）と、サイドヒーター１０２に電力を供給しないオフ状態（開状態）とのうちのいずれかの状態になるスイッチである。
【００６３】
制御装置１８は、ＰＷＭ制御部１８２の機能と、トライアック制御部１８４の機能と、設定部１８５の機能とを含む。設定部１８５は、センターヒーター１０１およびサイドヒーター１０２それぞれの目標温度を設定する。
【００６４】
トライアック制御部１８４は、トライアック１７０を制御するための制御信号を送信する。フォトトライアックカプラ１８９は、トライアック制御部１８４からの制御信号を受信すると、トライアック１７０に対してトライアック信号を出力する。トライアック信号は、トライアック１７０をオン状態に制御するための信号である。
【００６５】
ＰＷＭ制御部１８２は、センター温度センサー１３４、およびサイド温度センサー１４４それぞれからの検出温度に基づいて、センターヒーター１０１およびサイドヒーター１０２が、設定された目標温度となるようなＰＷＭ信号を生成する。ＰＷＭ制御部１８２は、スイッチング素子１３１のゲートに該ＰＷＭ信号を送信する。ＰＷＭ信号は、スイッチング素子１３１をオンにする期間（つまり、センターヒーター１０１などに電力を供給する期間）などが含まれる信号である。つまり、ＰＷＭ信号は、Ｄｕｔｙ比が含まれる信号である。スイッチング素子１３１は、ＰＷＭ信号を受信すると、該ＰＷＭ信号に含まれるＤｕｔｙ比に基づいてオンとオフを繰り返す。したがって、ＰＷＭ制御部１８２が、このスイッチング素子１３１を制御する。スイッチング素子１３１は、商用電源の周波数よりもはるかに高い周波数（例えば、２０ｋＨｚ）で駆動される。
【００６６】
ＰＷＭ制御部１８２は、スイッチング素子１３１を用いてＰＷＭ制御を実行する。ＰＷＭ制御部１８２は、トライアック１７０がオン状態であるときには、センターヒーター１０１とサイドヒーター１０２とに供給する電力の制御を実行する。また、ＰＷＭ制御部１８２は、トライアック１７０がオフ状態であるときには、センターヒーター１０１に供給する電力の制御を実行する。トライアック１７０がオフ状態であるときには、サイドヒーター１０２には電力が供給されない。このように、ＰＷＭ制御部１８２はＰＷＭ制御を実行する。また、ＰＷＭ制御部１８２は、ＡＣ電源１６０からの電力の制御を実行する。
【００６７】
画像形成装置１００が、幅が長い用紙（例えば、Ａ３用紙）に対して画像を形成した場合には、制御装置１８は、センターヒーター１０１、およびサイドヒーター１０２の双方を加熱させる。制御装置１８が、センターヒーター１０１、およびサイドヒーター１０２の双方を加熱させる場合、例えば、センターヒーター１０１およびサイドヒーター１０２それぞれの温度をＴ１度にする場合には、トライアック１７０をオン状態に制御するとともに、温度をＴ１度にするＰＷＭ制御を実行する。
【００６８】
また、画像形成装置１００が、幅が短い用紙（例えば、Ａ４用紙）に対して画像を形成した場合には、制御装置１８は、センターヒーター１０１を加熱させる一方、サイドヒーター１０２を加熱させない。制御装置１８は、センターヒーター１０１を加熱させる一方、サイドヒーター１０２を加熱させない場合、例えば、センターヒーター１０１の温度をＴ１度にする場合には、トライアック１７０をオフ状態に制御するとともに、温度をＴ１度にするＰＷＭ制御を実行する。
【００６９】
図５は、電流の動きなどを示す図である。スイッチング素子１３１がオンとなると、図５（Ａ）に示すように、リアクトル１３３およびセンターヒーター１０１に、整流回路１１１で生成された全波整流された電流がスイッチング素子１３１を介して流れる。この間、リアクトル１３３は、リアクトル１３３を流れる電流の一部を磁気エネルギーとして蓄える。
【００７０】
一方、スイッチング素子１３１がオフとなると、図５（Ｂ）に示すように、スイッチング素子１３１がオンの間にリアクトル１３３に蓄えられた磁気エネルギーが電流として放出されてセンターヒーター１０１に流れる。この電流は、回生ダイオードとしての還流素子１３２を介してリアクトル１３３に戻る。以上のような駆動回路１５０の動作により、センターヒーター１０１への入力電流の波形は、正弦波に近くなる。したがって、駆動回路１５０の力率は向上すると共に、駆動回路１５０への入力電流からの高調波電流は低減される。
【００７１】
図６は、センターヒーター１０１への入力電流の波形の一例を説明するための図である。図６（Ａ）および図６（Ｂ）それぞれの縦軸は電流値を示し、横軸は時間を示す。図６（Ａ）に示すように、センターヒーター１０１への入力電流の波形は正弦波に近くなる。また、図６（Ｂ）は、図６（Ａ）での約４．８ｍｓ〜約５．２ｍｓまでの波形の拡大図を示した図である。本実施形態では、チョッパー回路１１３は、図６（Ｂ）に示す波形となるようなチョッピング制御を実行する。センターヒーター１０１への入力電流の波形は正弦波に近くなることにより、画像形成装置１００は、駆動回路１５０の力率を向上させるとともに、入力電流から高調波電流を低減させることができる。
【００７２】
説明を図４に戻す。次に、サイドヒーター１０２の制御について説明する。制御装置１８は、ＰＷＭ制御により、センターヒーター１０１を制御する。また、制御装置１８は、ＰＷＭ制御およびトライアック１７０のオンオフ制御により、サイドヒーター１０２を制御する。
【００７３】
ところで、画像形成装置１００が、スイッチとしてトライアック１７０ではなく、リレーを備えること、およびＦＥＴを備えることが考えられる。しかしながら、リレーについては、該リレーは開閉回数が多くなるため接点の寿命が短いこと、およびリレーの開閉時の突入電流が大きいことから、回路の信頼性の観点において適切ではない。また、ＦＥＴは、高価である。よって、画像形成装置１００は、スイッチとしてはトライアック１７０を備えることが好ましい。
【００７４】
トライアック１７０は、２個の整流素子部品（例えば、サイリスタ）を互いに逆向きに並列に接続した部材である。つまり、トライアック１７０は、制御装置１８が双方向に電流を流すことが可能な部材である。
【００７５】
オン状態（閉状態）であるトライアック１７０は、トライアック信号が送信され、かつトライアック１７０に一方向に流れる電流値が所定電流値以下であるときに、オフ状態（開状態）に移行する。一方、オン状態（閉状態）であるトライアック１７０は、トライアック信号が送信され、かつトライアック１７０に一方向に流れる電流値が所定電流値より大きいときには、オフ状態（開状態）に移行しない。トライアック１７０は、このような特性を有する。
【００７６】
本実施形態の所定電流値は、例えば、０Ａ（アンペア）とする。また、所定電流値は、微小な値であれば如何なる値であってもよく、所定電流値は、例えば、スイッチング素子１３１に流入するゲートトリガ信号の電流値（例えば、数１０ｍＡ）であってもよい。以下では、ゲートトリガ信号の電流値を「ゲートトリガ信号電流値」という場合もある。
【００７７】
トライアック制御部１８４が、トライアック１７０のオン状態を維持させる場合には、トライアック信号の出力を維持する。画像形成装置１００は、トライアック１７０のオフ状態を維持する場合には、トライアック信号の非出力（トライアック信号を出力しないこと）を維持する。
【００７８】
ところで、図４に示すように、駆動回路１５０は、ノイズフィルター８２およびノイズフィルター１１２を有する。例えば、ノイズフィルター１１２は、流入元としてのコンデンサー１２３（電荷を蓄える部材であり、以下、コンデンサーＣ２ともいう。）などを有する。ここで、例えば、コンデンサーＣ２では、電荷が残存しており放電しきれないという現象が生じる。したがって、ＡＣ電源がゼロクロスするタイミングでは、コンデンサーＣ２の両端電圧は０Ｖまで落ちない状況となる（図７（Ａ）参照）。
【００７９】
図７は、比較例の画像形成装置のセンターヒーターなどの電圧などを示す図である。図７（Ａ）は、コンデンサーＣ２の両端の電圧を示す図である。図７（Ｂ）は、トライアック信号のオンまたはオフを示す図である。図７（Ｃ）は、ＰＷＭ制御のＤｕｔｙ比を示す図である。図７（Ｃ）の例では、Ｄｕｔｙ比は、６０％である。図７（Ｄ）は、センターヒーターへの出力電圧を示す図である。図７（Ｅ）は、サイドヒーターへの出力電圧を示す図である。
【００８０】
例えば、比較例の画像形成装置が、センターヒーターとサイドヒーターとを加熱している、つまり、Ａ３用紙に対する印刷を実行しているとする。この場合には、比較例の画像形成装置は、センターヒーターおよびサイドヒーターの双方に対してＰＷＭ制御を実行する。
【００８１】
比較例の画像形成装置は、ユーザーの入力などを契機に、印刷する用紙（加熱する用紙）をＡ３用紙からＡ４用紙に切替える。比較例の画像形成装置が、印刷する用紙をＡ３用紙からＡ４用紙に切替える場合には、比較例の画像形成装置は、センターヒーターのＰＷＭ制御を継続する一方、サイドヒーターのＰＷＭ制御を停止する。つまり、比較例の画像形成装置が、印刷する用紙をＡ３用紙からＡ４用紙に切替える場合には、比較例の画像形成装置は、トライアック信号の出力を停止する。ユーザーの入力とは、例えば、Ａ３用紙への印刷の実行中の次に、Ａ４用紙への印刷の実行の指示、混載ジョブの指示、および異なる用紙がセットされている複数の給紙トレイを使用する印刷指示などを含む。つまり、用紙のサイズが切り替わるような印刷指示のことをいう。
【００８２】
しかしながら、図７（Ａ）のαの箇所に示すように、ＡＣ電源がゼロクロスするタイミングでは、コンデンサーＣ２の両端電圧は０Ｖまで落ちない。したがって、例えば、コンデンサーＣ２（流入元）からトライアック１７０に対して一方向に流れる電流値が、所定電流値より大きくなる。なお、他のコンデンサー、例えば、コンデンサー１２１からトライアック１７０に対して電流が流入する場合もある。
【００８３】
よって、図７（Ｂ）に示すように、比較例の画像形成装置がタイミングＴ１でトライアック信号の出力を停止したとしても、トライアックの特性上、トライアックはオフ状態とはならない。つまり、比較例の画像形成装置は、トライアックをオフ状態に制御すべき場合であっても、トライアックをオフ状態に制御できない。
【００８４】
図８は、本実施形態の画像形成装置１００のセンターヒーター１０１などの電圧などを示す図である。図８（Ａ）は、コンデンサーＣ２の両端の電圧を示す図である。図８（Ｂ）は、トライアック信号のオンまたはオフを示す図である。図８（Ｃ）は、ＰＷＭ制御装置１８によるＰＷＭ制御のＤｕｔｙ比を示す図である。図８（Ｃ）の例では、Ｄｕｔｙ比は、６０％である。図８（Ｄ）は、センターヒーター１０１への出力電圧を示す図である。図８（Ｅ）は、サイドヒーター１０２への出力電圧を示す図である。図８（Ａ）は、図７（Ａ）と同一の図である。
【００８５】
本実施形態では、制御装置１８が、トライアック１７０をオン状態からオフ状態に制御する場合には、図８（Ｃ）に示すように、タイミングＴ１１において、ＰＷＭ制御部１８２は、ＰＷＭ制御のＤｕｔｙ比を６０％から０％に切替える。つまり、ＰＷＭ制御部１８２は、ＰＷＭ制御を一旦、停止する。ＰＷＭ制御が停止することにより、スイッチング素子１３１はオフ状態となる。スイッチング素子１３１はオフ状態となると、コンデンサーＣ２からの電流がトライアック１７０に対して流入しなくなる。このように、ＰＷＭ制御が停止することにより、画像形成装置１００は、コンデンサーＣ２からの電流がトライアック１７０に対して流入することを防止できる。
【００８６】
ＰＷＭ制御部１８２がＰＷＭ制御を停止したときに、図８（Ｄ）および図８（Ｅ）に示すように、センターヒーター１０１およびサイドヒーター１０２への出力電圧は０Ｖとなる。
【００８７】
その後、図８（Ｃ）に示すように、トライアック制御部１８４は、タイミングＴ１２において、トライアック信号（制御信号）の出力をオンからオフに切り替える。換言すれば、トライアック制御部１８４は、タイミングＴ１２において、トライアック信号（制御信号）の出力をオンからオフに切り替える。
【００８８】
トライアック制御部１８４は、コンデンサーＣ２からの電流がトライアック１７０に対して流入していない状態、つまり、トライアック１７０に一方向に流れる電流値が所定値以下である状態であるときに、トライアック信号の出力をオフに切替える。したがって、画像形成装置１００は、適切に、トライアック１７０をオン状態からオフ状態に切替えることができる。
【００８９】
画像形成装置１００が、適切に、トライアック１７０をオン状態からオフ状態に切替えた後には、タイミングＴ１３において、ＰＷＭ制御部１８２は、Ｄｕｔｙ比が６０％のＰＷＭ制御を再び実行する。これにより、制御装置１８は、センターヒーター１０１およびサイドヒーター１０２に対して電力を供給している状態を、センターヒーター１０１に対して電力を供給しサイドヒーター１０２に対して電力を供給しない状態に切替えることができる。
【００９０】
このように、制御装置１８は、スイッチング素子１３１を駆動することにより、センターヒーター１０１とサイドヒーター１０２とに供給する電力を、所定電力まで低下させる処理を実行する（図８（Ｃ）参照）。ここで、所定電力とは、Ｄｕｔｙ比が０％となる電力であり、本実施形態では、０Ｗである。また、所定電力が０Ｗである場合には、所定電流値は、０アンペアとなる。つまり、センターヒーター１０１とサイドヒーター１０２とに供給する電力が所定電力まで低下されることにより、コンデンサーＣ２からトライアック１７０に流入する電流値が、トライアック１７０がオン状態からオフ状態に切替可能な電流値（所定電流値であり０アンペア）となる。
【００９１】
なお、変形例として、所定電流値が前述したゲートトリガ信号電流値である場合には、所定電力は、オン状態であるトライアック１７０に流入する電流値が該ゲートトリガ信号電流値以下となるような電力となる。例えば、所定電力は、ＰＷＭ制御でのＤｕｔｙ比が微小％（例えば、１％）となる電力である。
【００９２】
また、制御装置１８は、Ｄｕｔｙ比を０％まで下げる制御を実行すると共に、制御装置１８（トライアック制御部１８４）は、制御信号（トライアック信号）の出力を停止する。
【００９３】
図８（Ｄ）に示すように、画像形成装置１００は、トライアック１７０をオン状態からオフ状態に制御させるときには、センターヒーター１０１への出力電圧は０Ｖになる。そうすると、センターヒーター１０１の加熱温度が低くなってしまう場合がある。
【００９４】
そこで、設定部１８５は、以下のような目標温度を設定する。図９は、加熱するヒーターと、目標温度との対応を示した図である。図９に対応する情報が、所定の記憶領域（例えば、ＲＯＭ９２）に記憶されている。
【００９５】
図９を参照して、設定部１８５は、センターヒーター１０１とサイドヒーター１０２とを加熱する場合（例えば、Ａ３の用紙を印刷する場合）、およびセンターヒーター１０１を加熱する一方サイドヒーター１０２を加熱しない場合（例えば、Ａ４の用紙を印刷する場合）には、該加熱の目標温度をＴ１に設定する。
【００９６】
その後、設定部１８５は、センターヒーター１０１とサイドヒーター１０２とを加熱している状態において、サイドヒーター１０２への加熱を停止する場合には、センターヒーター１０１の目標温度をＴ２に設定する。ここで、図９の※印に示すように、目標温度Ｔ１＜目標温度Ｔ２である。
【００９７】
つまり、ＰＷＭ制御部１８２がサイドヒーター１０２とセンターヒーター１０１とを加熱する場合には、設定部１８５は、目標温度Ｔ１を設定する。その後、サイドヒーター１０２とセンターヒーター１０１とが加熱されている状態で、制御装置１８がサイドヒーター１０２への加熱を停止する場合には、設定部１８５がセンターヒーター１０１の目標温度をＴ１からＴ２に変更した後に、制御装置１８がサイドヒーター１０２への加熱を停止する処理を実行する。
【００９８】
これにより、制御装置１８がサイドヒーター１０２への加熱を停止する場合には、事前に、センターヒーター１０１の加熱温度が高くなる（センターヒーター１０１の加熱温度が目標温度Ｔ２となる、または近づく）。したがって、センターヒーター１０１への出力電圧は０Ｖになったとしても、センターヒーター１０１の加熱温度が過度に低くなることはなく、定着器３０の定着処理に支障を生じさせないようにすることができる。
【００９９】
また、ＰＷＭ制御部１８２は、コンデンサーＣ２の電圧値に関わらず、ＰＷＭ制御のＤｕｔｙ比を０％にする制御を実行する（図８参照）。つまり、ＰＷＭ制御部１８２は、コンデンサーＣ２の電圧値に関わらず、コンデンサーＣ２からトライアック１７０に対して流入する電流値を所定電流値以下とする処理を実行する。
【０１００】
［制御装置１８のフローチャート］
図１０は、制御装置１８の処理のフローチャートである。図１０を参照して、ステップＳ１において、制御装置１８は、サイドヒーター１０２の加熱を停止する契機が成立した否かを判断する。この契機は、例えば、「画像形成装置１００が、Ａ３用紙に画像を印刷している場合において、ユーザーの入力などにより、画像を印刷する用紙を、該Ａ３用紙からＡ４用紙に切替える」という契機である。
【０１０１】
制御装置１８は、この契機が成立したと判断するまで、ステップＳ１の処理を繰り替えす（ステップＳ１でＮＯ）。制御装置１８が、この契機が成立したと判断すると（ステップＳ１でＹＥＳ）、制御装置１８の処理は、ステップＳ２において、設定部１８５は、センターヒーター１０１の目標温度を高く設定する。ステップＳ２において、設定部１８５は、センターヒーター１０１の目標温度を例えばＴ１からＴ２に変更する（図９参照）。ステップＳ２の処理が終了すると、制御装置１８の処理は、ステップＳ３の処理に進む。
【０１０２】
ステップＳ３において、制御装置１８（ＰＷＭ制御部１８２）は、ＰＷＭ制御のＤｕｔｙ比を０％に制御する（図８のタイミングＴ１１）。その後、ステップＳ４において、制御装置１８は、ステップＳ３の処理が終了したときから所定期間が経過するまで待機する（ステップＳ４でＮＯ）。本実施形態では、所定期間は、１０ｍｓであるとする。
【０１０３】
ステップＳ４において、制御装置１８が、ステップＳ３の処理が終了したときから所定期間が経過したと判断した場合には（ステップＳ４でＹＥＳ）、制御装置１８の処理は、ステップＳ６に進む。
【０１０４】
ステップＳ６において、トライアック制御部１８４は、フォトトライアックカプラ１８９に対する制御信号の出力を停止することにより、フォトトライアックカプラ１８９からのトライアック信号の出力を停止する（図８のタイミングＴ１２）。
【０１０５】
このように、図１０の例では、制御装置１８は、ＰＷＭのデューティー比を０％に制御したときから（ステップＳ３）、１０ｍｓ経過後に（ステップＳ４）、トライアック信号の出力を停止させる（ステップＳ６）。つまり、制御装置１８は、ＰＷＭのデューティー比を０％に制御した直後にトライアック信号の出力を停止させる。図８では、タイミングＴ１１からタイミングＴ１２までの期間が、１０ｍｓである。なお、変形例として、ステップＳ４などの１０ｍｓは他の期間であってもよい。ステップＳ４の期間は、ＣＰＵ９１が一の処理を実行したときから、次の処理を実行するときまでの最小期間としてもよい。この最少期間は、例えば、ＣＰＵ９１のクロック周波数などに基づいて定まる期間である。
【０１０６】
その後、ステップＳ８において、制御装置１８は、ステップＳ６の処理が終了したときから所定期間（例えば、１０ｍｓ）が経過するまで待機する（ステップＳ８でＮＯ）。
【０１０７】
ステップＳ８において、制御装置１８が、ステップＳ６の処理が終了したときから所定期間（例えば、１０ｍｓ）が経過したと判断した場合には（ステップＳ８でＹＥＳ）、制御装置１８の処理は、ステップＳ１０に進む。
【０１０８】
ステップＳ１０において、制御装置１８は、ステップＳ６の処理が実行される前のＤｕｔｙ比（本実施形態では、６０％）に戻す（図８のタイミングＴ１３）。ステップＳ１０の処理が終了すると、制御装置１８の処理は終了する。
【０１０９】
［本実施形態の画像形成装置が奏する効果］
（１）  本実施形態の画像形成装置１００は、サイドヒーター１０２への加熱のオンオフ制御のために、トライアック１７０を備える。トライアック１７０は、安価でかつ耐久性が高い。一方で、トライアック１７０は、「トライアック１７０がオン状態（閉状態）であり、かつトライアック信号が送信されたときにおいて、該トライアック１７０に一方向に流れる電流値が所定値以下であるときにはオフ状態（開状態）になる一方、該電流値が所定値より大きいときには、オフ状態（開状態）に移行しない特性」を有する。
【０１１０】
トライアック１７０のこの特性を鑑みて、本実施形態の制御装置１８は、オン状態であるトライアック１７０をオン状態からオフ状態に制御する場合には、まず、ＰＷＭ制御部１８２が、Ｄｕｔｙ比を０％にする（図８のタイミングＴ１１、図１０のタイミングＳ３参照）。ＰＷＭ制御部１８２が、Ｄｕｔｙ比を０％にする、つまり、スイッチング素子１３１をオフにすることにより、コンデンサーＣ２からトライアック１７０に流入される電流値を０アンペアにすることができる。このＤｕｔｙ比を０％にする制御は、「センターヒーター１０１とサイドヒーター１０２とに供給する電力を、所定電力（トライアック１７０がオン状態からオフ状態に切替可能な電力）まで低下させる制御」に対応する。換言すれば、このＤｕｔｙ比を０％にする制御は、「コンデンサーＣ２（流入元）からトライアック１７０に流入する電流値を所定値以下にする制御」に対応する。
【０１１１】
その後、トライアック制御部１８４の制御により、トライアック１７０をオン状態からオフ状態に切替える。この切替処理は、典型的には、トライアック１７０をオン状態からオフ状態に切替えるための信号に関する処理である。本実施形態では、トライアック制御部１８４は、トライアック１７０へのトライアック信号の出力を停止する（図８のタイミングＴ１２、図１０のタイミングＳ６参照）。これにより、コンデンサーＣ２（流入元）からトライアック１７０に流入する電流値が所定値以下であるとした状態で、トライアック制御部１８４は、トライアック１７０へのトライアック信号の出力を停止することができる。
【０１１２】
換言すれば、本実施形態の画像形成装置１００は、トライアック１７０に流入する電流値が所定値以下となるオフ時間（図８のタイミングＴ１１〜Ｔ１３の間）を、Ｄｕｔｙ比を０％にする制御により生成する。画像形成装置１００は、該オフ時間の間でトライアック信号をオフにする。
【０１１３】
以上により、センターヒーター１０１とサイドヒーター１０２とに供給する電力を、トライアック１７０がオン状態からオフ状態に切替可能な所定電力まで低下させ、その後、トライアック１７０をオン状態からオフ状態に切替える（トライアック信号の出力を停止する）。よって、本実施形態の制御装置１８は、上述の特性を有するトライアック１７０を適切にオフ状態に制御することができる。以上により、本実施形態の画像形成装置は、安価でかつ耐久性が高いトライアック１７０を備えながらも、電圧のゼロクロスが生成されない場合であっても、ゼロクロスを生成することができる。したがって、本実施形態の画像形成装置は、生成されたゼロクロスに基づいて、適切にサイドヒーター１０２の加熱温度を制御することができる。
【０１１４】
（２）  また、制御装置１８は、ＰＷＭのデューティー比を０％に制御した直後にトライアック信号の出力を停止させる（図１０のステップＳ３〜ステップＳ６参照）。したがって、サイドヒーター１０２への加熱を停止させるときに（ステップＳ１でＹＥＳと判断されたときに）、短時間でトライアック１７０をオフ状態にすることができることから応答性を高めることができる。
【０１１５】
（３）  また、ＰＷＭ制御部１８２は、ＡＣ電源１６０の電圧値（コンデンサーＣ２の電圧値）に関わらず、Ｄｕｔｙ比を０％にする処理を実行する。したがって、例えば、本実施形態の画像形成装置１００は、Ｄｕｔｙ比を０％にする処理のタイミングが固定されている画像形成装置と比較して、該処理のタイミングの自由度を高めることができる。
【０１１６】
（４）  設定部１８５は、センターヒーター１０１とサイドヒーター１０２との目標温度を設定する。また、設定部１８５は、センターヒーター１０１とサイドヒーター１０２とを加熱されている状態において、トライアック１７０をオフ状態にする制御（サイドヒーター１０２への加熱を停止させる制御）を実行する場合には、設定されていた目標温度を高く設定する（目標温度をＴ１からＴ２に切替える）（図９、および図１０のステップＳ２参照）。
【０１１７】
これにより、図８（Ｄ）に示したように、センターヒーター１０１への出力電圧は０Ｖになることからセンターヒーター１０１の加熱温度が低くなってしまう場合であっても、センターヒーター１０１の加熱温度を高く維持することを担保できる。したがって、定着器３０の定着処理に支障を生じさせないようにすることができる。
【０１１８】
（５）  また、制御装置１８は、１のマイコンで構成されている。制御装置１８は、ＰＷＭ制御部１８２によるＰＷＭ制御と、トライアック制御部１８４によるトライアック１７０の制御とを実行する。したがって、制御装置１８は、ＰＷＭ制御とトライアック１７０の制御との同期をとることができる。
【０１１９】
（６）  サイドヒーター１０２への電力供給を切替えるスイッチとして、トライアック１７０が採用されている。したがって、サイドヒーター１０２への電力供給を切替えるスイッチにおいて、安価で、かつ接点の寿命を長くできる画像形成装置を実現することができる。
【０１２０】
（７）  また、画像形成装置１００は、画像形成装置１００への入力電圧の力率を改善するノイズフィルター１１２を有する。したがって、画像形成装置１００への入力電圧の力率を改善できる。また、制御装置１８は、Ｄｕｔｙ比を０％にすることにより、ノイズフィルター１１２のコンデンサーＣ２からトライアック１７０に流入する電流値を、所定電流値（０アンペア）にすることができる。したがって、画像形成装置１００は、入力電圧の力率を改善するノイズフィルター１１２を有しながらも、適切に、トライアック１７０を制御することができる。
【０１２１】
［第２実施形態］
次に、第２実施形態について説明する。第１実施形態の制御装置１８は、図８に示したように、トライアック１７０をオン状態からオフ状態に制御する場合には、ＰＷＭ制御のＤｕｔｙ比を０％にする処理を実行した後に、トライアック信号の出力を停止する処理を実行するとして説明した。
【０１２２】
第２実施形態の制御装置１８は、トライアック１７０をオン状態からオフ状態に制御する場合には、トライアック信号の出力を停止する処理を実行した後に、ＰＷＭ制御のＤｕｔｙ比を０％にする処理を実行する。
【０１２３】
図１１は、第２実施形態のセンターヒーター１０１などの出力電圧を示す図である。本実施形態では、制御装置１８が、トライアック１７０をオン状態からオフ状態に制御する場合には、図１１（Ｂ）に示すように、まず、タイミングＴ２１において、トライアック制御部１８４は、トライアック信号の出力を停止する。このタイミングＴ２１の時点では、コンデンサーＣ２からの電流がトライアック１７０に流入している。したがって、タイミングＴ２１の時点では、トライアック１７０はオフ状態にはならない。
【０１２４】
その後、タイミングＴ２２において、ＰＷＭ制御部１８２は、ＰＷＭ制御のＤｕｔｙ比を０％にする。このタイミングＴ２２の時点で、制御装置１８は、コンデンサーＣ２からの電流がトライアック１７０に流入することを防止できる。よって、タイミングＴ２２の時点で、制御装置１８は、上述の特性を有するトライアック１７０を適切にオフ状態に制御することができる。
【０１２５】
このように、本実施形態の制御装置１８は、トライアック１７０をオン状態からオフ状態に制御する場合には、トライアック信号の出力を停止した後に、ＰＷＭ制御のＤｕｔｙ比を０％にする。本実施形態の制御装置１８の処理を、図１０を用いて説明すると、ステップＳ３とステップＳ６とが入れ替わる処理となる。つまり、本実施形態の制御装置１８は、トライアック信号の出力を停止して（ステップＳ６の処理を実行して）、１０ｍｓ経過後に（ステップＳ４でＹＥＳと判断されて）、ＰＷＭ制御のＤｕｔｙ比を０％にする（ステップＳ３の処理を実行する）。この１０ｍｓは、図１１のタイミングＴ２１とＴ２２との間の時間である。換言すると、本実施形態の制御装置１８は、トライアック信号の出力を停止した直後にＰＷＭ制御のＤｕｔｙ比を０％にする（ステップＳ３の処理を実行する）。第２実施形態の画像形成装置は、第１実施形態に係る画像形成装置１００と同様の効果を奏する。
【０１２６】
また、第２実施形態の変形例として、制御装置１８は、ＰＷＭ制御のＤｕｔｙ比を０％にする処理と、トライアック信号の出力を停止する処理とを同時に実行するようにしてもよい。本変形例の構成を採用した本実施形態の画像形成装置は、第１実施形態に係る画像形成装置１００と同様の効果を奏する。また、第１実施形態、第２実施形態、および本変形例を勘案すると、制御装置１８は、トライアック１７０をオン状態からオフ状態に制御する場合には、ＰＷＭ制御のＤｕｔｙ比を０％にする処理を実行すると共に、トライアック信号の出力を停止する処理を実行する。
【０１２７】
［第３実施形態］
第１実施形態および第２実施形態の制御装置１８が、トライアック１７０をオフ状態に制御するときには、ＰＷＭ制御部１８２は、ＰＷＭ制御のＤｕｔｙ比を０％に設定する必要があった（図７（Ｃ）および図１１（Ｃ）参照）。第３実施形態では、制御装置１８Ａのトライアック制御部１８４が、１の制御信号を出力することにより、ＰＷＭ制御のＤｕｔｙ比を０％に設定することなく、トライアック１７０をオフ状態に制御できる。
【０１２８】
図１２は、第３実施形態の制御装置１８Ａなどを示した図である。図１３は、第３実施形態の画像形成装置のセンターヒーターなどの電圧などを示す図である。１の制御信号を出力することにより、ＰＷＭ制御のＤｕｔｙ比の設定を０％にすることなく（図１３（Ｄ）参照）、センターヒーターおよびサイドヒーターへの電力供給を停止する（図１３（Ｅ）参照）と共に、トライアック１７０をオン状態からオフ状態に制御する制御回路を有する。制御回路は、単に「回路」ともいう。
【０１２９】
制御回路は、マルチバイブレーター１８７と、アンド回路１８６と、フォトトライアックカプラ１８９（オン信号出力回路）と、スイッチング素子１３１とを含む。
【０１３０】
トライアック制御部１８４からの１の信号線は、マルチバイブレーター１８７と、フォトトライアックカプラ１８９とに接続されている。この構成により、トライアック制御部１８４は、マルチバイブレーター１８７と、フォトトライアックカプラ１８９とに同一の制御信号を出力する。また、マルチバイブレーター１８７は、アンド回路１８６に接続されている。アンド回路１８６は、端子１６７Ａを介して、スイッチング素子１３１に接続されている。
【０１３１】
アンド回路１８６は、ＰＷＭ制御部１８２（供給信号出力部）からのＰＷＭ信号（供給信号）と、マルチバイブレーター１８７からのマルチバイブレーター信号との双方を受信しているときにＰＷＭ信号をスイッチング素子１３１に送信する。スイッチング素子１３１は、アンド回路１８６からのＰＷＭ信号を受信している間は、ＰＷＭ信号に含まれるＤｕｔｙ比に基づいて、スイッチング制御を実行する。
【０１３２】
アンド回路１８６は、マルチバイブレーター信号とＰＷＭ信号との双方を受信していないときにＰＷＭ信号をスイッチング素子１３１に送信しない。つまり、アンド回路１８６は、ＰＷＭ制御部１８２からのＰＷＭ信号を受信しているが、マルチバイブレーター１８７からのマルチバイブレーター信号を受信していないときには、ＰＷＭ信号をスイッチング素子１３１に送信しない。また、アンド回路１８６は、ＰＷＭ制御部１８２からのＰＷＭ信号を受信していないが、マルチバイブレーター１８７からのマルチバイブレーター信号を受信しているときにも、ＰＷＭ信号をスイッチング素子１３１に送信しない。アンド回路１８６は、ＰＷＭ制御部１８２からのＰＷＭ信号、およびマルチバイブレーター１８７からのマルチバイブレーター信号の双方を受信していないときにも、ＰＷＭ信号をスイッチング素子１３１に送信しない。
【０１３３】
次に、制御装置１８Ａが、センターヒーター１０１およびサイドヒーター１０２の双方を加熱する場合について説明する。トライアック制御部１８４は、トライアック１７０をオンにするオン信号を出力するとともに、ＰＷＭ制御部１８２は、ＰＷＭ信号を出力する。
【０１３４】
トライアック制御部１８４が、オン信号を出力すると、該オン信号は、マルチバイブレーター１８７とフォトトライアックカプラ１８９とに入力される。フォトトライアックカプラ１８９は、該オン信号を受信すると、トライアック１７０に対してトライアック信号を出力する。マルチバイブレーター１８７は、トライアック制御部１８４からのオン信号を受信すると、マルチバイブレーター信号を出力する。そうすると、アンド回路１８６は、ＰＷＭ制御部１８２からのＰＷＭ信号を受信しており、かつ、マルチバイブレーター１８７からのマルチバイブレーター信号を受信している状態となる。この状態であるときに、アンド回路１８６は、ＰＷＭ制御部１８２からのＰＷＭ信号をスイッチング素子１３１に送信する。
【０１３５】
センターヒーター１０１およびサイドヒーター１０２の双方を加熱する期間に亘って、トライアック制御部１８４は、オン信号の出力を継続するようにしてもよい。また、センターヒーター１０１およびサイドヒーター１０２の双方を加熱する場合には、トライアック制御部１８４は、１パルスのオン信号を出力するようにしてもよい。
【０１３６】
図１３は、本実施形態のセンターヒーター１０１の電圧などを示す図である。図１３を参照して、制御装置１８Ａが、センターヒーター１０１およびサイドヒーター１０２を加熱している場合において、サイドヒーター１０２の加熱を停止する場合を説明する。トライアック制御部１８４は、タイミングＴ３１において、オフ信号（制御信号）を出力する。このオフ信号は、例えば、１パルスの信号である。フォトトライアックカプラ１８９がオフ信号を受信したタイミングＴ３１において、トライアック信号の出力を停止する。
【０１３７】
マルチバイブレーター１８７は、トライアック制御部１８４からのオフ信号を受信すると、タイミングＴ３１の後のタイミングＴ３２において、マルチバイブレーター１８７は、出力していたマルチバイブレーター信号の出力を停止する。このように、マルチバイブレーター１８７は、オフ信号を受信したタイミングＴ３１から遅延したタイミングＴ３２でマルチバイブレーター信号の出力を停止する。
【０１３８】
そうすると、図１３（Ｅ）に示すように、タイミングＴ３２において、アンド回路１８６からのＰＷＭ信号の出力は停止する。タイミングＴ３２において、アンド回路１８６からのＰＷＭ信号の出力が停止すると、スイッチング素子１３１はオフ状態となる。したがって、センターヒーター１０１とサイドヒーター１０２とに供給する電力は、０Ｗになる。
【０１３９】
このように、アンド回路１８６は、ＰＷＭ制御部１８２からＰＷＭ信号が出力され手いる状態において、トライアック制御部１８４からオフ信号が出力されたときに、センターヒーター１０１とサイドヒーター１０２とに供給する電力を、所定電力（本実施形態では、０Ｗ）まで低下させる回路である。
【０１４０】
スイッチング素子１３１がオフ状態になると、コンデンサーＣ２からの電流が、トライアック１７０に流れない状態となる。したがって、トライアック１７０はオフ状態となる。
【０１４１】
その後、タイミングＴ３３において、マルチバイブレーター１８７は、マルチバイブレーター信号を出力する。タイミングＴ３２からタイミングＴ３３までの期間は、例えば、マルチバイブレーター信号の１パルスの期間とする。タイミングＴ３３において、アンド回路１８６からは、ＰＷＭ制御部１８２からのＰＷＭ信号が出力される。したがって、センターヒーター１０１には、ＰＷＭ制御に基づく電力が供給される。
【０１４２】
本実施形態の制御装置１８Ａは、制御装置１８Ａがトライアック１７０をオフ状態に制御するときには、ＰＷＭ制御部１８２は、ＰＷＭ制御のＤｕｔｙ比を０％に設定する必要がない（図１３（Ｄ）参照）。したがって、本実施形態の制御装置１８Ａは、ＰＷＭ制御のＤｕｔｙ比を０％に設定する必要がある制御装置と比較して、制御装置の処理負担を軽減できる。
【０１４３】
また、第３実施形態の画像形成装置は、図１３に示すように、オフ信号を出力する処理の後に、マルチバイブレーター信号の出力をオフにする処理を実行する。第３実施形態の変形例として、画像形成装置は、マルチバイブレーター信号の出力をオフにする処理の後に、オフ信号を出力する処理を実行してもよい。また、画像形成装置は、マルチバイブレーター信号の出力をオフにする処理と、オフ信号を出力する処理とを同時に実行するようにしてもよい。
【０１４４】
また、制御回路は、「制御部１８Ａによる１の信号制御の実行により、センターヒーター１０１およびサイドヒーター１０２とに供給する電力を所定電力まで低下させ、トライアック１７０をオン状態からオフ状態に切替える回路」であれば他の回路であってもよい。
【０１４５】
［第４実施形態］
次に、第４実施形態について説明する。前述の実施形態の制御装置（制御装置１８または制御装置１８Ａ）は、ＡＣ電源１６０の電圧値に関わらず、Ｄｕｔｙ比を０％にするとして説明した。第４実施形態の制御装置は、ＡＣ電源１６０の電圧（交流電圧）がゼロクロスした場合に、Ｄｕｔｙ比を０％にする処理を実行する。
【０１４６】
図４を用いて、第４実施形態の画像形成装置を説明する。図４に示すように、ＰＷＭ制御部１８２は、ＡＣ電源１６０からゼロクロス検出信号を取得する（図４のＡＣ電源からの破線参照）。ゼロクロス検出信号は、ＡＣ電源１６０から出力される電圧の波形（正弦波の波形）のゼロクロスのタイミングをＰＷＭ制御部１８２検出可能な信号である。ＰＷＭ制御部１８２は、ゼロクロス検出信号に基づいて、ＡＣ電源１６０の電圧値がゼロクロスとなるタイミングを検出できる。
【０１４７】
整流回路１１１により全波整流された電圧（例えば、コンデンサーＣ２の両端の電圧）が最小値となるタイミング（つまり、図７（Ａ）のαのタイミング）は、ＡＣ電源１６０から出力される電圧の波形においてゼロクロスとなるタイミングと一致する、または略一致する。また、整流回路１１１により全波整流された電圧は、センターヒーター１０１の電圧、およびサイドヒーター１０２の電圧とも一致する、または略一致する。
【０１４８】
図１４は、第４実施形態のセンターヒーター１０１への入力電流の波形の一例を説明するための図である。図８と図１４とを比較すると、図８では、図８（Ｃ）に示すように、ＰＷＭ制御部１８２は、整流回路１１１により全波整流された電圧の電圧値に関わらず、ＰＷＭ制御部１８２は、Ｄｕｔｙ比を０％にする。
【０１４９】
一方、本実施形態では、図１４（Ｃ）に示すように、ＰＷＭ制御部１８２は、整流回路１１１により全波整流された電圧の電圧値が最小値となったタイミングＴ４１で、Ｄｕｔｙ比を０％にする。
【０１５０】
タイミングＴ４１は、ＡＣ電源１６０から出力される電圧の波形においてゼロクロスとなるタイミングと一致する、または略一致する。つまり、ＰＷＭ制御部１８２は、ゼロクロス検出信号に基づいて、センターヒーター１０１（またはサイドヒーター１０２）の電圧値が最小値となるタイミングＴ４１を特定できる。
【０１５１】
次に、第４実施形態の画像形成装置が奏する効果を説明する。仮に、ＰＷＭ制御部１８２が、全波整流された電圧の電圧値が高いタイミングで、Ｄｕｔｙ比を０％にした場合には、電圧値の落差が大きいことなどに基づくノイズが発生する。そこで、本実施形態では、ＰＷＭ制御部１８２は、ＡＣ電源の電圧値が最小値となったとき（つまり、ゼロクロスであるとき）に、Ｄｕｔｙ比を０％にする。つまり、ＰＷＭ制御部１８２は、ＡＣ電源１６０の電圧値がゼロクロスとなった（センターヒーター１０１（またはサイドヒーター１０２）の電圧値が最小値となった）タイミングＴ４１でＤｕｔｙ比を０％にする。したがって、本実施形態の画像形成装置は、Ｄｕｔｙ比を０％にする前後での落差を小さくすることができる。よって、本実施形態の画像形成装置は、Ｄｕｔｙ比を０％にしたときのノイズを低減することができる。
【０１５２】
なお、変形例として、ＰＷＭ制御部１８２がＤｕｔｙ比を０％にするタイミングは、ＡＣ電源１６０の電源値がゼロクロスするタイミングの直前としてもよい。また、変形例として、ＰＷＭ制御部１８２がＤｕｔｙ比を０％にするタイミングは、ＡＣ電源１６０の電源値がゼロクロスするタイミングの直後としてもよい。また、「ＡＣ電源１６０の電圧がゼロクロスしたとき」は、「ＡＣ電源１６０の電源値がゼロクロスするタイミングの直後である」ことと、「ＡＣ電源１６０の電源値がゼロクロスするタイミングの直前である」ことのうち少なくとも１つを含むようにしてもよい。
【０１５３】
また、第４実施形態の画像形成装置は、図１４に示すように、電力Ｄｕｔｙ比を０％にする処理を実行した後に、トライアック信号の出力を停止するとして説明した。しかしながら、第４実施形態の変形例として、画像形成装置は、トライアック信号の出力を停止する処理の後に、電力Ｄｕｔｙ比を０％にする処理を実行するようにしてもよい。また、画像形成装置は、電力Ｄｕｔｙ比を０％にする処理と、トライアック信号の出力を停止する処理とを同時に実行するようにしてもよい。
【０１５４】
［第５実施形態］
次に、第５実施形態の画像形成装置を説明する。図１５は、本実施形態の制御装置１８Ｂの機能構成例を示した図である。制御装置１８Ｂは、ＰＷＭ制御部１８２と、トライアック制御部１８４の他に、判断部１９６と、停止部１９８と、取得部１９９とを含む。
【０１５５】
図１６は、本実施形態の制御装置１８Ｂのフローチャートである。図１６のステップＳ１〜ステップＳ１０の処理は、図１０のステップＳ１〜ステップＳ１０と同様である。つまり、ステップＳ１〜ステップＳ１０の処理が終了した後は、トライアック１７０がオフ状態となり、サイドヒーター１０２への電力供給が停止している筈である。
【０１５６】
制御装置１８Ｂの処理は、ステップＳ１０の処理が終了すると、ステップＳ１２に進む。ステップＳ１２において、制御装置１８Ｂは、ステップＳ１０の処理が終了したときから１０ｍｓが経過するまで待機する（ステップＳ１０でＮＯ）。
【０１５７】
ステップＳ１２において、制御装置１８Ｂが、ステップＳ１０の処理が終了したときから１０ｍｓが経過したと判断した場合には（ステップＳ１２でＹＥＳ）、制御装置１８の処理は、ステップＳ１３に進む。
【０１５８】
ステップＳ１３において、取得部１９９は、サイドヒーター１０２に流れる電流値を取得する。ここで、本実施形態の画像形成装置は、サイドヒーター１０２に流れる電流値を測定する電流値センサー（特に図示せず）を備える。電流値センサーは測定した電流値を取得部１９９に送信する。
【０１５９】
次に、ステップＳ１４において、判断部１９６は、サイドヒーター１０２に流れる電流値が、０アンペアであるか否かを判断する。ステップＳ１４において、判断部１９６がサイドヒーター１０２に流れる電流値が、０であると判断した場合（ステップＳ１４のＹＥＳ）とは、トライアック１７０が正常にオフ状態になった場合ということである。この場合には、制御装置１８Ｂの処理は終了し、以降の処理（例えば、画像形成処理）を実行（継続）する。
【０１６０】
一方、ステップＳ１４において、判断部１９６は、サイドヒーター１０２に流れる電流値が、０ではないと判断した場合（ステップＳ１４のＮＯ）は、トライアック１７０が正常にオフ状態に制御されていない場合ということである。この場合には、制御装置１８Ｂの処理は、ステップＳ１５に進む。
【０１６１】
ステップＳ１５において、制御装置１８Ｂは、エラーカウンターの値を１増加させる。ここで、エラーカウンターは、トライアック１７０のオフ状態への制御についてのエラーの回数を計数するためのカウンターである。つまり、エラーカウンターは、ステップＳ１５でＮＯと判断された回数を計数するためのカウンターである。画像形成装置は、画像形成装置の所定の記憶領域をエラーカウンターとして用いる。エラーカウンターは初期値として「０」が設定されている。制御装置１８Ｂが、ステップＳ１４でＹＥＳと判断すると、制御装置１８Ｂは、エラーカウンターを初期値にする（初期化する）。
【０１６２】
次に、ステップＳ１６において、停止部１９８は、エラーカウンターの値が２であるか否かを判断する。ステップＳ１６において、停止部１９８は、エラーカウンターの値が２であると判断した場合（ステップＳ１６においてＹＥＳ）、制御装置１８Ｂの処理は、ステップＳ１８に進む。
【０１６３】
ステップＳ１８において、停止部１９８は、ディスプレイ９５１（表示部）にエラーを表示する。このエラーの表示は、ある局面においては、「トライアック１７０がエラーした旨」の表示である。ステップＳ１８において、停止部１９８は、画像形成装置の処理を停止させる。
【０１６４】
また、ステップＳ１６において、停止部１９８は、エラーカウンターの値が２ではないと判断した場合（ステップＳ１６においてＮＯ）、つまり、エラーカウンターの値が１であると判断した場合には、制御装置１８Ｂの処理は、ステップＳ４に戻る。
【０１６５】
ステップＳ１６の処理は、サイドヒーター１０２に流れる電流値が０であると判断された回数が所定回数に到達したか否かを判断する処理である。本実施形態では、所定回数は、「２」であるが、他の回数、例えば「３」であるとしてもよい。
【０１６６】
本実施形態の画像形成装置は、本来であればトライアック１７０がオフ状態になるべきところ、トライアック１７０がオフ状態にならなかった回数をエラーカウンターを用いて計数する。本実施形態の画像形成装置は、トライアック１７０がオフ状態にならなかった回数が所定回数（本実施形態では２回）に到達したと判断した場合には、ステップＳ１８において、停止部１９８は、エラー表示を実行するとともに、画像形成装置の処理を停止させる。したがって、トライアック１７０の制御にエラーが生じた旨をユーザーに認識させることができる。また、画像形成装置は、トライアック１７０の制御にエラーが生じた状態での処理（画像形成処理）を実行することを防止できる。
【０１６７】
［変形例］
本発明は、上記の実施例に限られず、さらに種々の変形、応用が可能である。以下、本発明に適用可能な変形例について説明する。
【０１６８】
（１）  本実施形態のトライアック１７０がオン状態からオフ状態に切替可能な所定電流は、０アンペアである（所定電力は、０Ｗ）であるとして説明した。しかしながら、所定電流は、トライアック１７０の規格などに基づいて他の値であってもよい。他の値は、例えば、トライアック１７０に入力されるトライアック信号（ゲートトリガ信号）の電流（例えば、数１０ｍＡ）以下の値である。
【０１６９】
所定電流が、０より大きい値である場合には、例えば、図８（Ｃ）では、ＰＷＭ制御部は、Ｄｕｔｙ比をＸ％とする。ここで、Ｘ％は、コンデンサーＣ２からトライアック１７０に流入する電流が、所定電流以下となるようなＤｕｔｙ比である。
【０１７０】
（２）  本実施形態の制御装置は、トライアック１７０をオン状態に制御するときには、トライアック１７０に対してトライアック信号を送信し、トライアック１７０をオフ状態に制御するときには、このトライアック信号の送信を停止するとして説明した。
【０１７１】
変形例として、制御装置が、トライアック１７０をオフ状態に制御するときには、トライアック１７０に対してトライアックオフ信号を送信し、トライアック１７０をオン状態に制御するときには、このトライアックオフ信号の送信を停止してもよい。
【０１７２】
制御装置が、トライアック１７０をオン状態に制御するときには、トライアック１７０に対してトライアック信号を送信し、トライアック１７０をオフ状態に制御するときには、トライアックオフ信号を送信してもよい。
【０１７３】
また、制御装置が、オン状態であるトライアック１７０をオフ状態に制御するときには、１パルスの信号を送信し、オフ状態であるトライアック１７０をオン状態に制御するときには、１パルスの信号を送信するようにしてもよい。
【０１７４】
このように、制御装置は、トライアック１７０をオン状態からオフ状態に切替えるための信号の制御を実行するようにしてもよい。また、制御装置は、トライアック１７０をオフ状態からオン状態に切替えるための信号の制御を実行するようにしてもよい。
【０１７５】
（３）  本実施形態のサイドヒーター１０２への電力の供給を切替えるスイッチは、トライアックであるとして説明した。しかしながら、このスイッチは、他のスイッチであってもよい。このスイッチは、例えば、トライアックと同様の特性を有するスイッチであってもよい。
【０１７６】
（４）  トライアック１７０に電流が流入する流入元は、ノイズフィルター１１２のコンデンサーＣ２であるとして説明した。しかしながら、流入元は他の部材であってもよい。例えば、ノイズを除去するフィルターとしてもよい。また、流入元は、コンデンサーに限られず、電流を出力する部材であれば他の部材であってもよい。また、流入元は、他のコンデンサー（例えば、コンデンサー１２１）としてもよい。
【０１７７】
（５）  上述の実施形態の画像形成装置は、コンデンサーＣ２からトライアック１７０へ流入する電流を所定電流以下とするために、スイッチング素子１３１をオフ状態にする（例えば、Ｄｕｔｙ比を０％にする）として説明した。しかしながら、画像形成装置は、他の手法により、コンデンサーＣ２からトライアック１７０へ流入する電流を所定電流以下としてもよい。例えば、コンデンサーＣ２と、トライアック１７０との間に、スイッチを備えるようにしてもよい。制御装置１８は、センターヒーター１０１とサイドヒーター１０２とを加熱する場合には、スイッチをオン状態にし、トライアック１７０をオン状態にし、かつ、ＰＷＭ信号をスイッチング素子１３１に送信する。制御装置１８は、センターヒーター１０１とサイドヒーター１０２とを加熱している状態において、サイドヒーター１０２への加熱を停止する場合には、スイッチをオフ状態にすると共に、トライアック１７０へのトライアック信号の送信を停止する。「スイッチをオフ状態にする制御」は、「センターヒーター１０１とサイドヒーター１０２とに供給する電力を、トライアック１７０がオン状態からオフ状態に切替可能な所定電力まで下げる制御」に対応する。また、制御装置１８は、ＰＷＭ信号のスイッチング素子１３１への送信を停止しない。
【０１７８】
本変形例の画像形成装置は、制御装置１８は、ＰＷＭ信号のスイッチング素子１３１への送信を停止せずに、トライアック１７０を適切にオフ状態にすることができる。したがって、本変形例の画像形成装置は、センターヒーター１０１へのＰＷＭ制御を停止せずに（センターヒーター１０１の温度を低下せずに）、トライアック１７０をオフ状態にすることができる。
【０１７９】
（６）  本実施形態の画像形成装置では、ＰＷＭ制御によりセンターヒーター１０１およびサイドヒーター１０２を制御するとして説明した。しかしながら、画像形成装置は、ＰＷＭ制御ではなく、他の制御により、センターヒーター１０１およびサイドヒーター１０２を制御するようにしてもよい。
【０１８０】
（７）  本実施形態では、第１ヒーターとして、センターヒーター１０１を例示し、第２ヒーターとして、サイドヒーター１０２を例示した。しかしながら、第１ヒーターおよび第２ヒーターの少なくとも一方は他のヒーターであってもよい。また、第１ヒーターと、第２ヒーターとのうち少なくとも一方のヒーターは、複数のヒーターであってもよい。
【０１８１】
（８）  上記実施例の説明では、用紙で説明したが、印刷できる媒体であればよく、封筒、ＯＨＰなどでもよい。
【０１８２】
今回開示された各実施の形態は全ての点で例示であって制限的なものではないと考えられるべきである。本発明の範囲は上記した説明ではなくて特許請求の範囲によって示され、特許請求の範囲と均等の意味および範囲内での全ての変更が含まれることが意図される。また、実施の形態および各変形例において説明された発明は、可能な限り、単独でも、組合わせても、実施することが意図される。
【符号の説明】
【０１８３】
１８  制御装置、１００  画像形成装置、１０１  センターヒーター、１０２  サイドヒーター、１１１  整流回路、１３１  スイッチング素子、１５０  駆動回路、１６０  電源、１７０  トライアック、１８２  ＰＷＭ制御部、１８４  トライアック制御部、１８５  設定部、１８６  アンド回路、１８７  マルチバイブレーター、１８９  フォトトライアックカプラ、１９６  判断部、１９８  停止部、１９９  取得部。
【図１】
2020027164.tif 000003
【図２】
2020027164.tif 000004
【図３】
2020027164.tif 000005
【図４】
2020027164.tif 000006
【図５】
2020027164.tif 000007
【図６】
2020027164.tif 000008
【図７】
2020027164.tif 000009
【図８】
2020027164.tif 000010
【図９】
2020027164.tif 000011
【図１０】
2020027164.tif 000012
【図１１】
2020027164.tif 000013
【図１２】
2020027164.tif 000014
【図１３】
2020027164.tif 000015
【図１４】
2020027164.tif 000016
【図１５】
2020027164.tif 000017
【図１６】
2020027164.tif 000018